(57)【要約】【課題】各中継タグへ、記憶手段に記憶されている監視情報のうち、夫々対応する監視情報のみを送信する監視制御装置を提供する。【解決手段】Ｒ／Ｗユニット２０を、各通信ユニットに内蔵された中継タグと接続する。一方、Ｒ／Ｗユニット２０では、各監視箇所における監視情報をＥＥＰＲＯＭに記憶する際、監視箇所毎に異なる記憶領域に記憶している。そして、中継タグがＰＤＡから送信された情報要求信号を受信すると、Ｒ／Ｗユニットは、ＥＥＰＲＯＭに記憶している監視情報のうち、その中継タグと対応したパチンコ機に係る監視情報のみをその中継タグへと送信する。【選択図】図２１
2005348885.tif 000002
【特許請求の範囲】
【請求項１】
少なくとも一方の移動によって相対距離が変化する第一の部材と第二の部材とからなる可動部を少なくとも一組有する遊技機において、前記第一の部材または前記第二の部材のどちらか一方の部材に設けられる監視タグと、他方の部材に設けられる監視アンテナとの間で行われる非接触通信を制御する制御手段、及び前記非接触通信に係る情報である監視情報を記憶する記憶手段を備えており、前記非接触通信の結果に基づいて適宜監視情報を記憶することで前記可動部の状況を判断する監視制御装置であって、
外部携帯端末との間で非接触通信を行う複数の中継タグと接続可能であるとともに、
各中継タグに、前記記憶手段に記憶されている監視情報のうち、夫々対応する監視情報のみを送信することを特徴とする監視制御装置。
【発明の詳細な説明】
【技術分野】
【０００１】
本発明は、パチンコ機、スロットマシーン等の遊技機における可動部の開閉状況を監視するための監視制御装置に関するものである。
【背景技術】
【０００２】
従来より、たとえば、遊技に係る制御を行う主制御基板を収納した主制御基板収納ケースを有するパチンコ機において、特定の遊技者が不正に利益を得ようとして、遊技内容を制御するＬＳＩやＲＯＭ等を交換するといった不正行為が後を絶たない。そこで、そのような不正行為を防止するために、たとえば特許文献１に開示されているような監視システムが考案されている。
【０００３】
【特許文献１】特開２００４−０８１４６３号公報
【０００４】
特許文献１に開示されている監視システムによれば、固有の識別情報を有するＩＣタグを主制御基板収納ケースの上蓋に、ＩＣタグとの間で非接触のＲＦＩＤ（Radio Frequency identification）通信可能なアンテナを主制御基板収納ケースの下蓋に夫々固着し、ＩＣタグとアンテナとの間で行われるＲＦＩＤ通信の可否を、各遊技機に設置される監視制御装置（Ｒ／Ｗユニット）にて判断することによって、主制御基板収納ケースの開閉状況を監視する。そして、Ｒ／Ｗユニットに適宜記憶される監視履歴情報等を、各遊技機に固着される中継タグを介して、外部携帯端末によって参照可能としている。
【発明の開示】
【発明が解決しようとする課題】
【０００５】
しかしながら、特許文献１に開示されている監視システムでは、１台の遊技機に係る監視履歴情報等を１台のＲ／Ｗユニットに夫々記憶しているため、Ｒ／Ｗユニットにて監視履歴情報を記憶する際、どの遊技機に係る監視履歴情報であるのかといった情報を関連づけて記憶していない。したがって、特許文献１の監視システムを用いて複数台の遊技機の監視を行うと、外部携帯端末にて監視履歴情報を参照する際、どの監視履歴情報がどの遊技機に係る情報であるのか等の判別ができない。その上、必要のない遊技機の監視履歴情報までも参照しなくてはならないがために、不正行為に気が付くのが遅れたり、不正行為を誤認してしまうといった事態が起こり得る。
【０００６】
そこで、本発明は、上述したような課題を解決すべく、各中継タグへ、記憶手段に記憶されている監視情報のうち、夫々対応する監視情報のみを送信可能な監視制御装置を提供しようとするものである。
【課題を解決するための手段】
【０００７】
上述したような目的を達成するために、請求項１に記載の発明は、少なくとも一方の移動によって相対距離が変化する第一の部材と第二の部材とからなる可動部を少なくとも一組有する遊技機において、前記第一の部材または前記第二の部材のどちらか一方の部材に設けられる監視タグと、他方の部材に設けられる監視アンテナとの間で行われる非接触通信を制御する制御手段、及び前記非接触通信に係る情報である監視情報を記憶する記憶手段を備えており、前記非接触通信の結果に基づいて適宜監視情報を記憶することで前記可動部の状況を判断する監視制御装置であって、外部携帯端末との間で非接触通信を行う複数の中継タグと接続可能であるとともに、各中継タグに、前記記憶手段に記憶されている監視情報のうち、夫々対応する監視情報のみを送信することを特徴とする。
【発明の効果】
【０００８】
本発明によれば、各中継タグへ、記憶手段に記憶されている監視情報のうち、夫々対応する監視情報しか送信しないため、たとえば夫々異なる遊技機と対応付けられている複数の中継タグと接続されていたとしても、外部携帯端末と非接触通信を行った中継タグへ、その中継タグと対応した遊技機に係る監視情報のみを送信する。したがって、外部携帯端末にて参照される監視情報を他の遊技機に係る監視情報と混同するおそれもなく、各遊技機に対してより精度の高い監視を可能とする。
【発明を実施するための最良の形態】
【０００９】
以下、本発明に係る監視制御装置を備えた遊技機監視システムの一実施形態について、図面に基づき、次の目次の順序にしたがって、詳細に説明する。
（１）実施例の遊技機監視システムの概要
（２）実施例の遊技機監視システムの構造
（３）実施例の遊技機監視システムの動作内容
（４）実施例の遊技機監視システムの変更例１
（５）実施例の遊技機監視システムの変更例２
（６）実施例の遊技機監視システムの効果
（７）本発明の変更例の説明
【００１０】
（１）実施例の遊技機監視システムの概要
本実施例に係る遊技機監視システムは、主に各ホールで島設備に設置されるパチンコ機を監視しようとするものであって、監視制御装置であるリーダ／ライタユニット（以下、Ｒ／Ｗユニットと称す）、該Ｒ／Ｗユニットと接続された監視アンテナ、固有の識別情報を記憶しており監視アンテナとの間でＲＦＩＤ通信（非接触通信）可能な監視タグ、パチンコ機を取り扱う（たとえば、前面枠を開放する等）権限の認証を行うための通信ユニット（認証手段）、該通信ユニットにかざす店員カード（認証手段）、Ｒ／Ｗユニットに接続されており、外部携帯端末との間でＲＦＩＤ通信可能な中継タグ、及び外部携帯端末等を備えている。
【００１１】
遊技機監視システムは、各遊技機の各可動部において、一方の部材に監視タグを、他方の部材に監視アンテナを夫々固着し、両者間で行われるＲＦＩＤ通信を利用して各可動部の開閉状況を監視している。監視に係るＲＦＩＤ通信（監視動作）とは、各監視アンテナから呼出波を送信し、その呼出波に対する各監視タグからの反射波を所定時間（たとえば、５０ｍｓ）以内に受信するか否か、及び受信した反射波に含まれている各監視タグの識別情報とＲ／Ｗユニットに予め記憶されている識別情報とが一致するか否かを判定するものである。尚、監視タグと監視アンテナとの間で通信可能な距離は５ｍｍとして設定されている。そして、たとえば可動部において一方の部材が動かされ（両者間が５ｍｍ以上となり）、両者間で行われていたＲＦＩＤ通信が不成立となった場合や、識別情報が一致しなかった場合には、異常状態であると判断し、異常であると判断された日時や異常状態であると判断されたＲＦＩＤ通信に係る識別情報を異常情報（監視情報）としてＲ／Ｗユニットに記憶する。該監視に係るＲＦＩＤ通信は、短い周期（約数十ｍｓ）で常時（２４時間）繰り返し行われている。
【００１２】
また、カードアンテナ（認証アンテナ）を通信ユニットに、固有の識別情報を記憶したカードタグ（認証タグ）を店員カードに夫々収納し、店員カードを通信ユニットにかざして、カードタグとカードアンテナとの間でＲＦＩＤ通信を行うことによって、パチンコ機を取り扱う権限を認証する。この際、利用された日時や識別情報等を作業情報（監視情報）としてＲ／Ｗユニットに記憶する。
【００１３】
加えて、本実施例では、１台のＲ／Ｗユニットにて、隣接される２台のパチンコ機における監視動作及び認証動作の制御を行う。尚、各パチンコ機における具体的な監視箇所は、主制御基板収納ケース（可動部）、前面枠（可動部）、及び大入賞装置（可動部）である。そして、監視情報を記憶する際、監視箇所毎（認証手段の設置箇所も含む）に異なる領域に記憶する。
【００１４】
一方、Ｒ／Ｗユニットは、各ＲＦＩＤ通信を制御するＣＰＵ（制御手段）、各監視タグの識別情報が予め登録されているとともに、監視情報等を適宜記憶するＥＥＰＲＯＭ（記憶手段）、一時的な記憶を行うＲＡＭ（記憶手段）、ＲＯＭ（記憶手段）、各アンテナと接続されるＲＦ回路、ＲＴＣ、充電可能なバッテリ（内蔵電源）、及び中継タグ等と接続されるＩ／Ｏインタフェイス（入出力部）等を有しており、１台のＲ／Ｗユニットにて、最高８箇所におけるＲＦＩＤ通信の制御を可能としている。また、Ｒ／Ｗユニットには、任意に切替可能な切替スイッチ（選択手段）が設けられており、該切替スイッチによって、１台のＲ／Ｗユニットにて、何台（１台、２台、４台、８台が選択可能）のパチンコ機における監視動作等の制御を行うようにするかを選択可能となっている。本実施例では、切替スイッチにて「２台」が選択されている。
【００１５】
さらに、Ｒ／ＷユニットのＲＯＭには、監視動作及び認証動作等の制御に係る制御プログラムが、切替スイッチの選択肢にそれぞれ対応して記憶されている。制御プログラムとは、主に各アンテナから送信する呼出波の呼出順位に係るプログラムである。具体的には、各パチンコ機においてアンテナに呼出順位が決められており、各パチンコ機毎に呼出順位にしたがって呼出波を送信するものであり、たとえばＡとＢという２台のパチンコ機の監視を行う場合には、Ａ１→Ｂ１→Ａ２→Ｂ２・・という順序で呼出波を送信する。尚、各パチンコ機におけるアンテナの呼出順位は全て同順となっている。
【００１６】
加えて、中継タグは、ＰＤＡ（Personal Digital Assistant）等の外部携帯端末との間で所定の周波数（たとえば、１２５ｋＨｚ）を利用したＲＦＩＤ通信可能なタグであって、内蔵されているＥＥＰＲＯＭに固有の識別情報が記憶されたものである。尚、中継タグは通信ユニットに収納されている。
そして、各中継タグは、ＰＤＡ等の外部携帯端末から指令を受けると、Ｒ／Ｗユニットに記憶されている監視情報のうち、自身が取り付けられているパチンコ機に係る監視情報のみを読み出して、反射波にのせて外部携帯端末へと送信する。
【００１７】
（２）実施例の遊技機監視システムの構造
図１は、パチンコ機１、１・・を設置した島設備７１の説明図である。
図１に示されているように、各島設備７１には、複数のパチンコ機１、１・・が隣接した状態で設置されている。また、各島設備７１の側端には主にホール店員への報知を行う報知ランプ７２を備えた報知手段７３が取り付けられている。さらに、各パチンコ機１の上方にはカードアンテナ４７（図５に示す）や中継タグ６６（図６に示す）等を収納した通信ユニット４１が設置されている。一方、島設備７１内部には、Ｒ／Ｗユニット２０が設置されており、１台のＲ／Ｗユニット２０にて２台のパチンコ機１、１での監視動作及び認証動作の制御を行っている。
【００１８】
ここで、通信ユニット４１及び店員カード４２について図２を基に説明する。図２は、通信ユニット４１及び店員カード４２の外観を示した説明図である。
通信ユニット４１は、その本体の前面に２個の確認ランプ４３ａ、４３ｂが備えられている。また、各確認ランプ４３の下方には、カードアンテナ４７或いは中継タグ６６が夫々収納されている。一方、４２は、カードタグ４６を内蔵した店員カードである。該店員カード４２を、カードアンテナ４７の前方にかざすと、カードタグ４６とカードアンテナ４７との間で所定の周波数（たとえば、１３．５６ＭＨｚ）を利用したＲＦＩＤ通信が可能となり、後述する権限の認証が行われる。
【００１９】
カードタグ４６及びカードアンテナ４７について図３〜図５を基に説明する。図３は、カードタグ４６の外観を示した説明図であり、図４は、カードタグ４６の制御機構を示したブロック図である。また、図５は、カードアンテナ４７の外観を示した説明図である。
カードタグ４６は、ガラスコンポジット（たとえば、ＣＥＭ３）で形成された薄い長方形状のプリント基板２６上に、ＲＦ回路２７とＥＥＰＲＯＭ２８とを一体にしたＩＣチップ２９、及び渦巻き状に形成された送受信回路３０を設けたものである。そして、ＥＥＰＲＯＭ２８の上書き禁止区域には、カードタグ４６と他のタグとを識別するための固有の識別情報が予め記憶されている。尚、カードタグ４６の識別情報は、後述するステーション５８（図１６に示す）で各店員の個人情報となる店員情報として管理されている。
【００２０】
かかるカードタグ４６は、上述したように店員カード４２をカードアンテナ４７の前方にかざすことで、カードアンテナ４７との間でＲＦＩＤ通信を行うことができる。したがって、カードアンテナ４７からの呼出波を受信すると、自身の識別情報を読み出し、カードアンテナ４７へと返信する。
また、カードタグ４６は、カードアンテナ４７からの呼出波を送受信回路３０にて受信した際、呼出波に含まれている搬送波成分をＲＦ回路２７にて整流することによって直流電圧を得ることができるため、外部からの電源供給を受けることなく、呼出波を受信しさえすれば反射波を出力することができる。加えて、呼出波に特定のデータ（監視情報等）が含まれていた場合には、該データをＥＥＰＲＯＭ２８に記憶することも可能となっている。
【００２１】
カードアンテナ４７は、ガラスコンポジット（たとえば、ＣＥＭ３）で形成された薄板状の基板３１の表面に送受信回路３２を渦巻き状に設けたものである。また、送受信回路３２の端子３３、３３にはケーブル３４が接続されており、該ケーブル３４を介してＲ／Ｗユニット２０へと接続されている。そして、Ｒ／Ｗユニット２０の制御により、送受信回路３２から呼出波を出力可能となっている。
【００２２】
次に、中継タグ６６について図６及び図７を基に説明する。図６は、中継タグ６６の外観を示した説明図であり、図７は、中継タグ６６の制御機構を示したブロック図である。
中継タグ６６は、略直方体状に形成された合成樹脂製のブロック体６８内に、ＲＦ回路６９とＣＰＵ７０とＩ／Ｏインタフェイス７６とＥＥＰＲＯＭ７７とを一体にしたＩＣチップ７４、及び送受信回路７５を内蔵したものである。ＥＥＰＲＯＭ７７の上書き禁止区域には、中継タグ６６と他のタグとを識別するための固有の識別情報が予め記憶されている。また、中継タグ６６は、ケーブル３４を介してＲ／Ｗユニット２０と接続されており、Ｒ／Ｗユニット２０との間で情報等のやりとりを行うことができる。
【００２３】
かかる中継タグ６６は、ＰＤＡ９０（図８で示す）との間でＲＦＩＤ通信をおこなうことができる。したがって、ＰＤＡ９０から監視情報要求信号を受信すると、Ｒ／Ｗユニット２０に記憶されている監視情報のうち、自身の下方に設置されている（各中継タグ６６に対応した）パチンコ機１に係る監視情報のみを読み出して、ＰＤＡ９０へと返信する。
また、中継タグ６６はカードタグ４６と同様に、ＰＤＡ９０から送信される呼出波を送受信回路７５にて受信すると、呼出波に含まれている搬送波成分をＲＦ回路６９にて整流することによって直流電圧を得ることができるため、外部からの電源供給を受けることなく、ＰＤＡ９０からの呼出波を受信しさえすれば、いつでも動作することができる。
【００２４】
ここで、中継タグ６６との間でＲＦＩＤ通信を行うＰＤＡ９０について、図８及び図９を基に説明する。図８は、ＰＤＡ９０の外観を示した説明図であり、図９は、ＰＤＡ９０の制御機構を示したブロック図である。
ＰＤＡ９０は、従来より利用されている周知の携帯型情報端末であり、本体上部にＳＤメモリカード（Secure Digital Memory Card）やＭＭＣ（Multi Media Card）等のメモリカード、或いはＰＣカード型のＰＨＳアダプタ等を挿入可能なカードスロットを備えている。実施例では、該カードスロットに中継タグ６６との間でＲＦＩＤ通信を行うためのアンテナ９１とＲＦ回路９２とを内蔵したＲＦモジュール９３が挿入されている。ＲＦモジュール９３は、内蔵されているアンテナ９１を、中継タグ６６に対して適切な角度で向けることができるように、軸９４を中心として約９０°の範囲で回動可能となっている。
【００２５】
また、ＰＤＡ９０の前面には、メニューを表示したり、受信した監視情報等を表示する表示画面９５、ＰＤＡ９０を操作するための操作キー９６等が備えられている。さらに、ＰＤＡ９０は、受信した監視情報等を記憶するための不揮発性のメモリであるＥＥＰＲＯＭ９７、ＣＰＵ、ＣＰＵとＲＦモジュール９３との間で情報等をやりとりするためのＩ／Ｏインタフェイス９８等をも内蔵している。
【００２６】
次に、島設備７１に設置される各パチンコ機１について、図１０〜図１２を基に説明する。図１０は、パチンコ機１の前面を示した説明図であり、図１１は、遊技枠３及び前面枠４を片開きにした状態を示した説明斜視図である。また、図１２は、パチンコ機１の後面を示した説明図である。
【００２７】
パチンコ機１は、その周囲を機枠２によって支持されたものであって、機枠２の前面側には、金属板により形成されたミドル枠５が、左端縁（前面側から見て）を軸として着脱自在に蝶着されている。また、ミドル枠５の前面側でパチンコ機１の中央よりやや上方となる位置には、略正方形の遊技盤６が設置されている。さらに、遊技盤６を覆うように、前面枠４が左端縁（前面側から見て）を軸として着脱自在に蝶着されている。
また、前面枠４の下方には、発射装置７に遊技球を供給するための供給皿８、及び供給皿８から溢れた遊技球を貯留するための貯留皿９が取り付けられている。加えて、供給皿８と貯留皿９との間には、効果音を出すスピーカ１０が設けられており、貯留皿９の右側（前面側から見て）には、発射装置７を動作させるための発射ハンドル１１が取り付けられている。
【００２８】
さらに、遊技盤６の前面側には、誘導レールによって囲まれた略円形の遊技領域１２が形成されている。遊技領域１２の略中央には、種々の動画やメッセージ等を表示可能な液晶画面１３を備えた図柄表示装置１４が設置されている。また、図柄表示装置１４の下方には、遊技球が入賞可能な図柄始動口１５が設けられており、遊技球の図柄始動口１５への入賞を契機として液晶画面１３に表示される図柄が変動を開始する。さらに、その図柄始動口１５の下方には開閉可能な可動部材１６を備えた大入賞装置１７が設けられている。該大入賞装置１７は、図柄変動後、液晶画面１３に所定の態様の図柄（たとえば、「７７７」）が停止表示された場合に、可動部材１６を所定の回数だけ開閉させるものである。加えて、遊技領域１２には、遊技球の落下に変化をもたせるための多数の障害釘や風車等の遊技部材、遊技球が入賞可能な種々の入賞口、及び遊技性を高めるための電飾ランプ１８等が設けられている。
【００２９】
ここで、大入賞装置１７について図１３を基に説明する。図１３は、大入賞装置１７の外観を示した説明図である。
大入賞装置１７は、大入賞口の前面に、ソレノイド等の駆動装置（図示せず）によって、左右両端の下端際に突設された支軸６２を中心として所定角度（約７０°）だけ前方へと傾斜可能な可動部材１６を取り付けてなるものである。可動部材１６の右側端部（前面側から見て）には、円柱状に形成された役物タグ（監視タグ）８０が内蔵されている。
【００３０】
役物タグ８０は、上述したカードタグ４６の制御機構と略同様の制御機構を有するものであり、硬質な合成樹脂（たとえば、ポリカーボネート）により円柱状に形成されたベース部材の内部に、ＲＦ回路２７とＥＥＰＲＯＭ２８とを一体にしたＩＣチップ２９と、コイル状に形成された送受信回路３０とを備えたものである。そして、役物タグ８０のＥＥＰＲＯＭ２８にも固有の識別情報が予め記憶されている。また、役物タグ８０は、その一方端面（送受信回路３０が埋設されている側）が可動部材１６の側面と面一となるような状態で、可動部材１６に内蔵されている。
一方、図１３に示されているように、大入賞装置１７の開口部（大入賞口）右側面内側（前面側から見て）であって、可動部材１６が閉じた際に役物タグ８０と対峙する位置には、役物アンテナ（監視アンテナ）８１が内蔵されている。該役物アンテナ８１は、上述したカードアンテナ４７と略同様に構成されたものである。そして、役物タグ８０と役物アンテナ８１との間でＲＦＩＤ通信を行うことにより、可動部材１６の開閉状況を監視する。
【００３１】
一方、図１１に示されているように、遊技盤６の前面を覆うように取り付けられている前面枠４は、フレーム３５にガラス板（図１１では図示せず）が嵌め込まれてなるものである。フレーム３５の略中央には、円形の遊技窓３６が穿設されている。さらに、フレーム３５の後面周縁には、ガラス板を嵌め込むための２列の嵌合溝３７、３７が設けられている。ガラス板を嵌合溝３７、３７に嵌め込んだ状態で前面枠４を閉じることによって、遊技領域１２の前方がガラス板によって閉塞され、遊技球の流下可能な遊技空間が形成される。
【００３２】
また、前面枠４の後面開放側上端縁には、ＲＦＩＤ通信可能な前面枠タグ（監視タグ）３８が固着されている。また、遊技枠３の前面開放側上端縁であって、前面枠４を遊技枠３に対して閉じた際に前面枠タグ３８と対峙する位置には、前面枠タグ３８との間でＲＦＩＤ通信可能な前面枠アンテナ（監視アンテナ）３９が固着されている。したがって、前面枠４を閉じた場合にのみ、両者間でＲＦＩＤ通信可能となっており、該ＲＦＩＤ通信を利用して前面枠４の遊技枠３に対する開閉状況を監視する。尚、前面枠タグ３８の構成はカードタグ４６と、前面枠アンテナ３９の構成はカードアンテナ４７とそれぞれ略同様となっており、前面枠タグ３８のＥＥＰＲＯＭ２８には固有の識別情報が記憶されている。
【００３３】
一方、図１２に示されているように、パチンコ機１の後面は、ミドル枠５に、センターカバー２１、主制御基板収納ケース１９、遊技球タンク２２、遊技球タンク２２に貯留されている遊技球を賞品球や貸球として払い出すための遊技球払出装置２３、該遊技球払出装置２３の動作を制御する払出制御基板を収納した払出制御基板収納ケース２５等が設置された状態となっている。
【００３４】
主制御基板収納ケース１９は、パチンコ機１の遊技内容に関する種々の動作を制御（遊技に係る制御）を行う主制御基板４８（図１４に示す）を収納したものであって、左下方（後面側から見て）に設置されている。ここで、パチンコ機１の遊技内容に関する種々の動作とは、遊技球の払出に関する動作や、遊技者にとって有利な「大当たり状態」を生起させるか否かの「抽選」に関する動作等の各種動作（すなわち、遊技者の利益に直接的に関わる動作）のことである。尚、主制御基板４８には、パチンコ機１の遊技内容に係る動作を制御するためのＬＳＩ等の各種制御素子が搭載されている。該ＬＳＩは、各種演算処理を行うＣＰＵ、データやプログラム等を一時的に記憶するＲＡＭ、各種データや制御プログラム等を記憶したＲＯＭ等を一体にモールディングしたものである。また、主制御基板４８は、Ｒ／Ｗユニット２０に接続されている。
【００３５】
また、主制御基板収納ケース１９の右隣（後面側から見て）には、主制御基板４８からの指令に基づいてスピーカ１０から出す音を制御する音制御基板を収納した音制御基板収納ケース４９が、主制御基板収納ケース１９と一体的に設けられている。ここで、主制御基板収納ケース１９について、図１４を基に説明する。図１４は、主制御基板収納ケース１９を分解した状態を示した説明斜視図である。
主制御基板収納ケース１９は、前ケース８２と後ケース８３とからなる分割式の収納ケースである。前ケース８２の左側面（後面側から見て）には、先端が矢尻状の係合突起８４、８４が備えられており、後ケース８３の左側面（後面側から見て）には係合孔８５、８５が設けられている。また、上述の如く主制御基板収納ケース１９の右隣には音制御基板収納ケース４９が設けられている。該音制御基板収納ケース４９の左側面には係止突起８６、８６・・が突設されている。さらに、主制御基板収納ケース１９の後ケース８３の右側面には係止突起８６、８６・・が係止可能な係止孔８７、８７・・が穿設されている。そして、前ケース８２と後ケース８３とは、各係止孔８７に各係止突起８６を係止させた状態で、係合突起８４、８４と係合孔８５、８５とを係合させることによって、一体に組み立てられる。
【００３６】
一方、図１４に示されているように、主制御基板収納ケース１９の前ケース８２の左側面（後面側から見て）には、ケースタグ（監視タグ）８８が固着されている。また、主制御基板収納ケース１９の左側面には、ケースタグ８８を覆うように且つ前ケース８２と後ケース８３とに跨るようにケースアンテナ（監視アンテナ）８９が固着されている。そして、主制御基板収納ケース１９を組み立てた状態で、ケースタグ８８とケースアンテナ８９との間でＲＦＩＤ通信を行うことによって、主制御基板収納ケース１９の開閉状況を監視する。尚、ケースタグ８８はカードタグ４６と、ケースアンテナ８９はカードアンテナ４７と夫々略同様に構成されている。
【００３７】
また、音制御基板収納ケース４９のさらに右隣（後面側から見て）には、主制御基板４８からの指令に基づいて、遊技球払出装置２３の動作を制御する払出制御基板を収納した払出制御基板収納ケース２５が設置されている。
さらに、主制御基板収納ケース１９の上方に設置されたセンターカバー２１内には、主制御基板４８からの指令に基づいて、図柄表示装置１４の制御を行う図柄制御基板を収納した図柄制御基板収納ケース５０等が設置されている。それらの各基板収納ケースは、主制御基板収納ケース１９と略同様に、前ケース及び後ケースからなる分割式の収納ケースとなっている。
【００３８】
一方、各ＲＦＩＤ通信を制御するＲ／Ｗユニット２０について、図１５及び図１６を基に説明する。図１５は、Ｒ／Ｗユニット２０の外観を示した説明斜視図であり、図１６は、Ｒ／Ｗユニット２０の制御機構を示したブロック図である。尚、本実施例では、１台のＲ／Ｗユニット２０にて隣接する２台のパチンコ機１、１における各ＲＦＩＤ通信を制御するものであり、２台のパチンコ機１、１や通信ユニット４１、４１に夫々取り付けられている各アンテナや中継タグ６６と夫々接続されている。また、隣接する２台のパチンコ機１、１は同様の構成を備えており、両者とも同じ位置に監視アンテナや監視タグ等が設置されているものとする。
【００３９】
Ｒ／Ｗユニット２０は、第一ケース１０１と第二ケース１０２とからなる分割式の収納ケースであって、ＣＰＵ５１、ＲＡＭ５２、ＲＯＭ５３、監視情報等を記憶するためのＥＥＰＲＯＭ５４、日時を計時するためのＲＴＣ５５、各監視アンテナと接続されるＲＦ回路５６、中継タグ６６等と接続されるＩ／Ｏインタフェイス５７、ステーション５８等と無線接続するための無線モジュール６４、充電可能なバッテリ６５等が内蔵されている。尚、第一ケース１０１と第二ケース１０２とは、容易に開放できないように強固に固着されている。
【００４０】
第一ケース１０１の右側端部（第二ケース側から見て）には、各監視アンテナから延びるケーブル３４を接続するためのアンテナ用コネクタ１０３、１０３・・が８箇所備えられている。したがって、Ｒ／Ｗユニット２０は、合計８個の監視アンテナ又は認証アンテナと接続可能（すなわち、８回線まで可能）となっている。また、Ｒ／Ｗユニット２０の左側端部には、各中継タグ６６から延びるケーブル３４を接続するための中継タグ用コネクタ１０４、１０４・・が８箇所備えられている。
一方、Ｒ／Ｗユニット２０にて何台のパチンコ機を監視するかを選択するための切替スイッチ６３が、そのつまみを第二ケース１０２から突出させた状態で設けられている。切替スイッチ６３では、「１台」、「２台」、「４台」、及び「８台」のいずれかを選択可能となっている。尚、実施例では「２台」が選択されている。
【００４１】
次に、Ｒ／Ｗユニット２０の収納ケース内部の機構について説明する。Ｒ／Ｗユニット２０の動作を制御するＣＰＵ５１には、ＲＡＭ５２、ＲＯＭ５３、ＥＥＰＲＯＭ５４、ＲＴＣ５５、ＲＦ回路５６、及びＩ／Ｏインタフェイス５７が接続されている。
ＲＡＭ５２には、毎朝ステーション５８から送信されてくる店員情報に係る識別情報等が記憶される。また、ＲＯＭ５３には、Ｒ／Ｗユニット２０の監視動作や認証動作等に係る制御プログラム等が、切替スイッチ６３の選択肢毎に夫々対応づけられて記憶されている。したがって、Ｒ／Ｗユニット２０のＣＰＵ５１は、たとえば実施例のように切替スイッチ６３にて「２台」を選択すると、「２台」に対応する制御プログラムをＲＯＭ５３から読み出して実行する。
【００４２】
尚、制御プログラムとは、主に各アンテナから送信する呼出波の呼出順位に係るプログラム、及びＥＥＰＲＯＭ５４への情報の記憶態様を制御するプログラムである。呼出順位に係るプログラムとは、各パチンコ機においてアンテナに呼出順位が決められており、各パチンコ機毎に呼出順位にしたがって呼出波を送信するものである。本実施例にそくして説明すると、「２台」に対応する呼出順位に係るプログラムとは、ＡとＢとの２台のパチンコ機の、「Ａ１〜Ａ４」と「Ｂ１〜Ｂ４」という箇所で監視や認証を行う場合に、切替スイッチ６３で「２台」を選択すると「Ａ１→Ｂ１→Ａ２→Ｂ２・・Ａ４→Ｂ４」という順序で呼出波を送信するというものである。尚、各パチンコ機におけるアンテナの呼出順位は全て同順となっている。
一方、ＥＥＰＲＯＭ５４は、検知される監視情報を、各回線毎に夫々異なる記憶領域に記憶するように制御されている。そして、ＥＥＰＲＯＭ５４への情報の記憶態様を制御するプログラムとは、どの記憶領域には、どの回線に係る監視情報を記憶するかを自動的に対応づけるものである。
【００４３】
また、Ｒ／Ｗユニット２０は、島設備７１への設置後、各監視アンテナと監視タグとの間における初めてのＲＦＩＤ通信にて、各監視タグの識別情報を取得し、ＥＥＰＲＯＭ５４に回線毎に夫々対応づけて記憶する。
尚、本実施例では１台のパチンコ機につき３個の監視タグと１個の認証タグとがＲ／Ｗユニット２０のＲＦ回路５６に接続されている。また、Ｉ／Ｏインタフェイス５７には、ステーション５８や報知手段７３との間で無線により指令等のやりとりを行う無線モジュール６４や、各パチンコ機１に取り付けられる中継タグ６６、各パチンコ機１の主制御基板４８等が接続されている。
【００４４】
一方、ステーション５８は、遊技店の管理室等に備えられるホールコンピュータであって、ホールに設置された島設備７１に取り付けられているＲ／Ｗユニット２０と、無線により情報等のやりとりを行っている。そして、ステーション５８では、各店員カード４２に記憶されている識別情報を店員情報として管理したり、各Ｒ／Ｗユニット２０から送信されてくる監視情報の管理等を行っている。そして、遊技店では、毎朝ステーション５８を用いて、その日出勤予定のある店員が所持する店員カード４２に記憶されている識別情報のみを選択し、各Ｒ／Ｗユニット２０へと送信している。
【００４５】
（３）実施例の遊技機監視システムの動作内容
パチンコ機１は、主制御基板４８に記憶されているプログラムにしたがって、主たる遊技動作を実行する。そして、発射ハンドル１１の回動操作によって遊技領域１２に打ち出された遊技球が図柄始動口１５に入賞すると、主制御基板４８において「抽選」を実行し、「大当たり」となるか否かを決定する。また、「抽選」を実行すると略同時に図柄表示装置１４の液晶画面１３に表示されている図柄を変動させ（他の図柄と順々に入れ替わる動画等を表示させ）、特定時間後に停止させて新たな図柄を表示する。さらに、「抽選」において「大当たり」となった場合には、図柄の変動後に予め設定されている「大当たり図柄」を表示するとともに、「大当たり状態」を生起させて、大入賞装置１７の可動部材１６を所定回数だけ断続的に開放させる。一方、可動部材１６の内部の大入賞口や各種の入賞口に遊技球が入賞した場合には、所定数の遊技球を遊技球払出装置２３によりカウントして、賞品球として供給皿８へと払い出す。したがって、「大当たり状態」が生起すると、遊技者は多くの賞品球を獲得することができる。
【００４６】
尚、大入賞装置１７の可動部材１６は、「大当たり状態」生起時以外では開放しないようになっている。また、「大当たり状態」が生起した場合には、主制御基板４８のＬＳＩからＲ／Ｗユニット２０へと「大当たり」を報知する報知信号が送信される。主制御基板４８のＬＳＩは、「大当たり状態」が生起している間中、該報知信号を送信し続ける。
【００４７】
一方、Ｒ／Ｗユニット２０は、各パチンコ機１の前面枠４、大入賞装置１７、及び主制御基板収納ケース１９におけるＲＦＩＤ通信を利用した監視動作を制御している。
ここで、大入賞装置１７における監視動作を図１７に基づいて説明する。図１７は、大入賞装置１７における監視動作を示したフローチャート図である。
【００４８】
まず、Ｓ１においてＲ／Ｗユニット２０は、役物アンテナ８１から呼出波を送信する。役物タグ８０は、役物アンテナ８１からの呼出波を送受信回路３０にて受信すると、直ちにＥＥＰＲＯＭ２８に記憶されている識別情報を読み出す。そして、該識別情報を反射波にのせて役物アンテナ８１へと返信する。
ここで、Ｓ２においてＲ／Ｗユニット２０は、役物アンテナ８１からの呼出波に対して所定時間内に役物タグ８０からの反射波を受信したか否かを判定する。そして、Ｓ２における判定の結果、反射波の受信が所定時間内であった場合には、Ｓ３へと進む。
【００４９】
Ｓ３において、Ｒ／Ｗユニット２０は、受信した役物タグ８０の識別情報と、予めＲ／Ｗユニット２０に記憶されている識別情報とが一致するか否かを判定する。そして、Ｓ３における判定の結果、両者が一致した場合には、正常状態であると判断し、Ｓ１へと戻り、再び役物アンテナ８１から呼出波を送信する。
また、Ｓ２における判定の結果、反射波の受信が所定時間内でなかった場合には、Ｓ６へと進み、パチンコ機１が大当たり状態生起中であるか否かが判定される。すなわち、主制御基板４８からの報知信号を受信しているか否かを判定する。Ｓ６における判定の結果、大当たり状態生起中であった場合には、正常状態であると判断し、Ｓ１へと戻る。
【００５０】
一方、Ｓ３における判定の結果、反射波に含まれている識別情報と、予めＲ／Ｗユニット２０に記憶されている識別情報とが一致しなかった場合には、異常状態（役物タグ８０が不正交換された状態）であると判断する。また、Ｓ６における判定の結果、大当たり状態が生起していなかった場合にも、異常状態（可動部材１６が不正開放されている状態）であると判断する。
以上のように異常状態あると判断すると、Ｒ／Ｗユニット２０はＳ４へと進み、異常情報として、異常状態であると判断した日時及び該判断に係る識別情報をＥＥＰＲＯＭ５４に記憶する。そして、Ｓ５へと進み、パチンコ機１に不正行為が行われている可能性がある旨を報知ランプ７２にて報知するよう報知手段７３へと報知信号を送信する。このような態様にて、Ｒ／Ｗユニット２０は、各パチンコ機１の大入賞装置１７を監視している。
【００５１】
次に、前面枠４における監視動作を図１８に基づいて説明する。図１８は、前面枠４における監視動作を示したフローチャート図である。
前面枠４における監視動作は、上述した大入賞装置１７における監視動作と略同様のものである。まず、Ｓ１１においてＲ／Ｗユニット２０は、前面枠アンテナ３９から呼出波を送信する。前面枠タグ３８は、前面枠アンテナ３９からの呼出波を送受信回路３０にて受信すると、直ちにＥＥＰＲＯＭ２８に記憶されている識別情報を読み出す。そして、該識別情報を反射波にのせて前面枠アンテナ３９へと返信する。
【００５２】
ここで、Ｓ１２においてＲ／Ｗユニット２０は、前面枠アンテナ３９からの呼出波に対して所定時間内に前面枠タグ３８からの反射波を受信したか否かを判定する。そして、Ｓ１２における判定の結果、反射波の受信が所定時間内であった場合には、Ｓ１３へと進む。
Ｓ１３において、Ｒ／Ｗユニット２０は、受信した前面枠タグ３８の識別情報と、予めＲ／Ｗユニット２０のＥＥＰＲＯＭ５４に記憶されている識別情報とが一致するか否かを判定する。そして、Ｓ１３における判定の結果、両者が一致した場合には、正常状態であると判断し、Ｓ１１へと戻り、再び前面枠アンテナ３９から呼出波を送信する。
【００５３】
一方、Ｓ１２における判定の結果、呼出波に対して反射波を所定時間以内に受信できなかった場合には、異常状態（前面枠４が不正に開放されている状態）であると判断する。また、Ｓ１３における判定の結果、反射波に含まれている識別情報と、予めＲ／Ｗユニット２０に記憶されているタグ情報の一部とが一致しなかった場合にも、異常状態（前面枠タグ３８が不正交換された状態）であると判断する。
以上のように異常状態あると判断すると、Ｒ／Ｗユニット２０はＳ１４へと進み、異常情報として、異常状態であると判断した日時及び該判断に係る識別情報をＥＥＰＲＯＭ５４に記憶する。そして、Ｓ１５へと進み、パチンコ機１に不正行為が行われている可能性がある旨を報知ランプ７２にて報知するよう報知手段７３へと報知信号を送信する。このような態様にて、Ｒ／Ｗユニット２０は、各パチンコ機１の前面枠４の開閉状況を監視している。
【００５４】
さらに、Ｒ／Ｗユニット２０は、各パチンコ機１の主制御基板収納ケース１９の開閉状況も監視している。該主制御基板収納ケース１９の監視動作は、図１８で示されている前面枠４の監視動作と同様のものである。
【００５５】
一方、Ｒ／Ｗユニット２０は、たとえば遊技領域１２内での球詰まりの発生等により店員が前面枠４を開放する際、店員がパチンコ機１を取り扱う権限を有していることを確認するための認証動作をも制御している。ここで、カードタグ４６とカードアンテナ４７との間で行われるＲＦＩＤ通信を利用した認証動作について、図１９及び図２０を基に説明する。図１９及び図２０は、認証動作を示したフローチャート図である。
【００５６】
毎朝ホールでは、その日出勤予定のある店員をチェックし、ステーション５８に店員情報として管理されている識別情報のうち該当する識別情報のみを各Ｒ／Ｗユニット２０へと送信する。Ｒ／Ｗユニット２０は、送信されてきた識別情報をＲＡＭ５２に記憶する。尚、その際、前日の情報に上書きするものとする。
そして、店員は、たとえば遊技領域１２内での球詰まり等により前面枠４を開放する必要が生じた場合等に、店員カード４２を通信ユニット４１にかざして作業認証状態とすることで、不正行為として検知されることなく前面枠４を開放することができる。その際、カードアンテナ４７とカードタグ４６との間でＲＦＩＤ通信が行われる。
【００５７】
ここで、通信ユニット４１に店員カード４２がかざされる前の状態における認証動作を説明する。Ｓ２１において、Ｒ／Ｗユニット２０は、カードアンテナ４７から呼出波を送信する。そして、Ｓ２２において、その呼出波に対してカードタグ４６からの反射波を受信したか否かを判定する。しかしながら、店員カード４２がかざされる前であるため、Ｓ２３へと進む。その後、Ｓ２３において後述する停止フラグの確認（当然、最初はＯＦＦである）を行った後、Ｓ２１へと戻り、再びカードアンテナ４７から呼出波を送信する。
【００５８】
次に、通信ユニット４１に店員カード４２をかざした際に行われる認証動作を説明する。
通信ユニット４１に店員カード４２をかざすことで、カードタグ４６とカードアンテナ４７との間でＲＦＩＤ通信が行われる。したがって、Ｓ２２における判定がＹＥＳとなり、図２０に示されているＳ３１へと進む。Ｓ３１において、カードタグ４６からの反射波に含まれる識別情報と、Ｒ／Ｗユニット２０のＲＡＭ５２に記憶されている識別情報とが一致するか否かを判定する。Ｓ３１における判定の結果、両者が一致しなかった場合（たとえば、出勤予定のない店員の店員カードであったり、偽造された店員カードであったりする場合）には、該店員カード４２を無効とみなし、Ｓ３５において、利用された店員カードの識別情報や利用日時等を異常情報としてＥＥＰＲＯＭ５４に記憶した後、Ｓ２１へと戻る（Ｓ２３を経て）。
【００５９】
一方、Ｓ３１における判定の結果、両者が一致した場合（権限を認証した場合）には、Ｓ３２において、停止フラグをＯＮとし、Ｓ３３において通信ユニット４１の確認ランプ４３ａを点灯させる。そして、Ｓ３５にて、報知手段７３への報知要請を行わない作業認証状態へと移行する。つまり、この時点でたとえば店員が前面枠４を開放したとしても、開放日時や利用された識別情報、作業内容（どこの監視に係るＲＦＩＤ通信が不成立となったか）等を作業情報としてＥＥＰＲＯＭ５４に記憶するにとどまり、不正行為として報知手段７３への報知要請は行わない。
その後、Ｓ２３において、停止フラグがＯＮであることを確認し、Ｓ２４へと進む。Ｓ２４では、権限認証後５ｓ経過したか否かが判定される。店員カード４２をかざした直後は当然ＮＯと判断され、Ｓ２１へと戻り、再びカードアンテナ４７から呼出波を送信する。一方、店員カード４２がかざされて権限が認証されてから５ｓ以上経過すると、Ｓ２４における判定の結果がＹＥＳとなり、Ｓ２５において停止フラグをＯＦＦし、確認ランプ４３ａを消灯する。そして、Ｓ２７にて各監視アンテナから呼出波の送信を再開する。
【００６０】
尚、図１９に示されているように、権限認証後５ｓ以上経過したか否かの判定は、カードタグ４６とカードアンテナ４７との間のＲＦＩＤ通信に関係なく行われるため、店員カード４２は確認ランプ４３ａが点灯するまでかざすだけでよい。また、Ｒ／Ｗユニット２０は、権限認証から５ｓ経過後に再開される監視動作を、監視タグからの初めての反射波の受信を契機として図１７や図１８で示されているような通常の監視状態へと完全に移行する。したがって、呼出波の送信が再開された時点で監視タグからの反射波を受信しなくとも（たとえば、既に前面枠４が開放されている場合等）、Ｒ／Ｗユニット２０は、報知手段７３への報知要請を行わない（監視動作が通常の監視状態へと完全に復帰してはいない）。
以上のような認証動作において、利用された店員カード４２の識別情報や利用日時、作業内容等は作業情報としてＲ／Ｗユニット２０のＥＥＰＲＯＭ５４に記憶される。該作業情報は、必要に応じて、ステーション５８へと送信可能であり、ステーション５８にて記憶・管理される。
【００６１】
次に、Ｒ／Ｗユニット２０に設けられている切替スイッチ６３に係る制御について説明する。実施例では、２台のパチンコ機１、１を監視するため、切替スイッチ６３にて「２台」が選択されている。Ｒ／Ｗユニット２０は、「２台」が選択されると、「２台」に対応する呼出順位に係るプログラムをＲＯＭ５３から読み出し、該プログラムにしたがって、ＲＦ回路５６を介して各アンテナから呼出波を順々に送信する。ここで、Ｒ／Ｗユニット２０は、同時に２個のアンテナから呼出波を送信することはなく、一のアンテナから呼出波を送信し、その送信に係る監視動作又は認証動作を行った後、別のアンテナから呼出波を送信するという制御を行う。
尚、上述の如く、「２台」が選択されると、「２台」に対応する情報の記憶態様を制御するプログラムをＲＯＭ５３から読み出し、該プログラムにしたがって、各アンテナ用コネクタ１０３毎に、接続されるべきアンテナが決定される（すなわち、どの記憶領域には、どのＲＦＩＤ通信に係る情報を記憶するかが決定される）。そこで、該プログラムにしたがって、各アンテナ用コネクタ１０３に各アンテナからのびるケーブル３４を接続する。
【００６２】
また、ＲＯＭ５３に記憶されている呼出順位に係るプログラムにおいて、２台のパチンコ機１、１を監視する際の各パチンコ機１での呼出波の呼出順位は、（１）ケースアンテナ８９、（２）前面枠アンテナ３９、（３）カードアンテナ４７、（４）役物アンテナ８１と設定されている。さらに、２台のパチンコ機１、１の監視において、呼出波の送信を交互に行うように設定されている。つまり、一方のケースアンテナ８９からの呼出波の送信を行うと、次は他方のケースアンテナ８９、その次は一方の前面枠アンテナ３９、さらにその次は他方の前面枠アンテナ３９という順序で呼出波の送信を行うように設定されている。
尚、各アンテナからの呼出波の送信に係る監視動作又は認証動作は、上述の如く非常に短時間で行われるものである。したがって、各アンテナが呼出波を送信してから巡回後に再び呼出波を送信するまで１ｓとかからないため、各アンテナを利用した監視動作又は認証動作は常時行われているものとする。
【００６３】
一方、Ｒ／Ｗユニット２０のＥＥＰＲＯＭ５４に記憶される監視情報の管理を、中継タグ６６を介することでＰＤＡ９０にて行うことができる。以下、中継タグ６６の動作を図２１を基に説明する。
まず、ＰＤＡ９０のＲＦモジュール９３を中継タグ６６へとかざした状態で、ＰＤＡ９０から中継タグ６６へ情報要求信号又は情報クリア信号を含んだ呼出波を送信する。尚、中継タグ６６とＰＤＡ９０とは比較的長帯波の周波数を利用しているため、監視タグと監視アンテナとの距離ほど両者を近づける必要はない。
【００６４】
Ｓ４１において、中継タグ６６は呼出波を受信すると、Ｓ４２において、呼出波に含まれている信号が情報要求信号であるか又は情報クリア信号であるかを判定する。Ｓ４２における判定の結果、情報要求信号が含まれていると判断した場合には、Ｒ／Ｗユニット２０へと、パチンコ機１に係る監視情報を要求する呼出信号を送信する。Ｒ／Ｗユニット２０では、該呼出信号を受信すると、中継タグ６６が取り付けられているパチンコ機１に係る監視情報のみを中継タグ６６へと返信する。中継タグ６６は、Ｒ／Ｗユニット２０から情報を受け取ると、該監視情報とともに自身の識別情報を反射波にのせてＰＤＡ９０へと返信する。
【００６５】
また、Ｓ４２における判定の結果、情報クリア信号が含まれていると判断した場合には、Ｒ／Ｗユニット２０のＥＥＰＲＯＭ５４からパチンコ機１に係る監視情報のみを消去するよう、Ｒ／Ｗユニット２０へとクリア信号を送信する。Ｒ／Ｗユニット２０は、クリア信号を受信すると、パチンコ機１に係る監視情報のみをクリアし、クリアした旨を中継タグ６６へと返信する。そして、中継タグ６６は、Ｒ／Ｗユニット２０内にてパチンコ機１に係る監視情報がクリアされた旨とともに自身の識別情報を反射波にのせてＰＤＡ９０へと返信する。
【００６６】
以上のような態様でＰＤＡ９０を用いて監視情報を管理することができる。また、ＰＤＡ９０では、中継タグ６６より受信した監視情報をＥＥＰＲＯＭ９７に記憶するとともに、表示画面９５に表示したり操作キー９６、９６・・による選択等の管理を可能としている。  尚、中継タグ６６とＰＤＡ９０との間でＲＦＩＤ通信が行われている間、確認ランプ４３ｂが点灯する。
【００６７】
（４）実施例の遊技機監視システムの変更例１
ここで、１台のＲ／Ｗユニット２０にて４台のパチンコ機１、１・・における監視動作及び認証動作を制御する遊技機監視システムについて説明する。１台のＲ／Ｗユニット２０にて４台のパチンコ機１、１・・における監視動作等を制御するとなると、１台のパチンコ機１につき２つの監視アンテナ又は認証アンテナと接続可能となる。尚、ここでは、各パチンコ機１において、前面枠４の監視と通信ユニット４１を利用した認証とを行うものとする。また、前面枠４の監視を行うための前面枠タグ３８や前面枠アンテナ３９、通信ユニット４１や店員カード４２等の構成は実施例に記載のものと同様とする。
【００６８】
１台のＲ／Ｗユニット２０にて４台のパチンコ機１、１・・における監視動作及び認証動作を制御したい場合には、切替スイッチ６３にて「４台」を選択すればよい。すると、「４台」に対応する情報の記憶態様を制御するプログラムをＲＯＭ５３から読み出し、該プログラムにしたがって、各アンテナ用コネクタ１０３毎に、接続されるべきアンテナが決定される。そこで、該プログラムにしたがって、各アンテナから延びるケーブル３４を各アンテナ用コネクタ１０３にそれぞれ接続する。また、Ｒ／Ｗユニット２０は、ＲＯＭ５３に記憶されている呼出順位に係るプログラムのうち、「４台」のパチンコ機を監視するためのプログラムを読み出して、該プログラムにしたがって各アンテナから呼出波を送信し、監視動作又は認証動作を制御する。尚、ここでの各パチンコ機１におけるアンテナの呼出順位は、（１）前面枠アンテナ３９、（２）カードアンテナ４７となっている。したがって、各パチンコ機１の前面枠アンテナ３９から呼出波を順々に送信した後、各パチンコ機１の各カードアンテナ４７から呼出波を順々に送信する。
尚、監視動作及び認証動作や、中継タグ６６を利用した監視情報の管理等の制御は、上述した「２台」に係る制御と全く同様であるため、説明を省略する。
【００６９】
（５）実施例の遊技機監視システムの変更例２
ここで、１台のＲ／Ｗユニット２０にて８台のパチンコ機１、１・・における監視動作を制御する遊技機監視システムについて、図２２及び図２３を基に説明する。図２２は、パチンコ機１を出荷ケースに収納した状態を示した説明図である。図２３は、Ｒ／Ｗユニット２０の制御機構を示したブロック図である。
該変更例２は、主に出荷時（ホールに設置される前）のパチンコ機１に対する主制御基板収納ケースの不正開放等を監視する際に利用される。各出荷ケースには、パチンコ機１、１・・が１６台収納されており、各パチンコ機１の上部には通信ユニット４１が設置されている。また、ケース上部の空間には、Ｒ／Ｗユニット２０、２０が設置されている。各Ｒ／Ｗユニット２０は、それぞれ８台のパチンコ機１、１・・の主制御基板収納ケース１９に固着されたケースアンテナ８９、及び通信ユニット４１内に収納された中継タグ６６と接続されている。中継タグ６６は、ＰＤＡ９０との間で上述したように長波帯を利用してＲＦＩＤ通信を行うため、出荷ケース越しにＲＦＩＤ通信可能となっている。
尚、ケースアンテナ８９、通信ユニット４１、及び主制御基板収納ケース１９の構造や設置位置等については、実施例に記載のものと同様であり、同じ符号を用いて説明する。
【００７０】
１台のＲ／Ｗユニット２０にて８台のパチンコ機１、１・・における監視動作を制御させる場合には、切替スイッチ６３にて「８台」を選択する。すると、Ｒ／Ｗユニット２０は、「８台」に対応する情報の記憶態様を制御するプログラムをＲＯＭ５３から読み出し、該プログラムにしたがって、各アンテナ用コネクタ１０３毎に、接続されるべきアンテナが決定される。そこで、該プログラムにしたがって、各ケースアンテナ８９から延びるケーブル３４を各アンテナ用コネクタ１０３にそれぞれ接続する。また、Ｒ／Ｗユニット２０は、ＲＯＭ５３に記憶されている呼出順位に係るプログラムのうち、「８台」のパチンコ機を監視するためのプログラムを読み出して、該プログラムにしたがって各アンテナから呼出波を順々に送信し、監視動作を制御する。
尚、監視動作、中継タグ６６を利用した監視情報の管理等の制御は、上述した「２台」に係る制御と全く同様であるため、説明を省略する。
【００７１】
（６）実施例の遊技機監視システムの効果
実施例に係る遊技機監視システムは、上記の如く、各パチンコ機１の前面枠４、大入賞装置１７、及び主制御基板収納ケース１９にて各監視アンテナと監視タグとの間でＲＦＩＤ通信を行い、その開閉状況を監視動作を行っている。したがって、たとえば遊技者が前面枠４をわずかでも不正に開放すると、前面枠アンテナ３９は前面枠タグ３８からの反射波を受信することができなくなるため、Ｒ／Ｗユニット２０によって異常状態にあることを直ちに検知することができる。また、監視タグからの反射波を受信できなくなった日時や該ＲＦＩＤ通信に係る識別情報等を異常情報としてＥＥＰＲＯＭ５４に記憶するため、より効果的な監視をリアルタイムで行うことができる。そして、このような効果的な監視を行うことにより、前面枠４や主制御基板収納ケース１９等に対して不正行為を行いにくいパチンコ機１を提供することができる。
【００７２】
また、大入賞装置１７に対する可動部材１６の開閉状態を監視しているため、ピアノ線等を利用した不正行為（前面枠４の隙間から差し込んで大当たり状態でないにも拘わらず、可動部材１６を開放する等）を検知することができる。
加えて、各監視タグからの返信されてきた識別情報が、ＥＥＰＲＯＭ５４に記憶されている識別情報と異なっていた場合にも、異常状態であると判断し、その識別情報を受信した日時や該ＲＦＩＤ通信に係る識別情報等を異常情報としてＥＥＰＲＯＭ５４に記憶するため、監視タグの不正交換といった事態にも対応することができる。
【００７３】
また、実施例に係る遊技機監視システムでは、Ｒ／Ｗユニット２０とステーション５８とを無線接続しており、毎朝ステーション５８から送信されてくる店員情報に係る識別情報をＲＡＭ５２に記憶しているため、通信ユニット４１に店員カード４２がかざされる毎にわざわざステーション５８との間で識別情報のやりとりを行わなくてすむ。したがって、認証動作をよりスムーズに行うことができる。
さらに、ステーション５８から、その日出勤予定の店員の識別情報のみをＲ／Ｗユニット２０へと送信するようにしているため、出勤予定のない店員の店員カードが不正に利用されたり、退社したはずの店員の店員カードが不正に利用されたりすることがなく、より信頼性の高い監視を行うことができる。その上、ステーション５８からＲ／Ｗユニット２０へと送信される識別情報は、その日出勤予定の店員のもののみであるため、送信時間等を短縮することができ、よりスムーズな監視を行うことができる。
【００７４】
さらにまた、権限を認証している状態にあっても、各監視アンテナと監視タグとの間でＲＦＩＤ通信は行っており、たとえばＲＦＩＤ通信が不成立となった場合等に作業情報の記憶を行うため、より信頼性の高い監視を提供することができる。
また、Ｒ／Ｗユニット２０は、複数台のパチンコ機における監視を可能としているため、ホールに導入する際、一対一対応でしかないＲ／Ｗユニットと比べると、コストを抑えることができる。さらに、ＲＯＭ５３に呼出波の送信順序や記憶態様に係るプログラムが記憶されており、切替スイッチ６３により監視（認証も含む）したいパチンコ機１の台数を選択するだけで、監視可能なパチンコ機の台数を変更することができる。したがって、変更例１や変更例２に示したように、目的の応じて使い分けが可能であり、利便性が極めて高い。さらに、切替スイッチ６３の操作のみにより変更可能であるため、非常に容易に変更することができる。
【００７５】
さらにまた、通信ユニット４１には、Ｒ／Ｗユニット２０と接続された中継タグ６６が収納されているため、ＰＤＡ９０等の外部携帯端末を用いて容易に監視情報を確認したり、消去したりすることができ、使い勝手が非常によい。また、Ｒ／Ｗユニット２０は、記憶態様に係るプログラムに基づいて、各回線毎の記憶領域と記憶される監視情報とを対応づけている。したがって、複数の中継タグと接続されているにもかかわらず、各中継タグ６６毎に対応するパチンコ機１に係る監視情報のみを送信するため、関係のないパチンコ機１に係る監視情報と混同するおそれがなく、使い勝手が良い。
またさらに、中継タグ６６とＰＤＡ９０との間で行うＲＦＩＤ通信は、上述したような長波帯を利用して行っているため、変更例２に示したようにパチンコ機１が出荷ケース内に収納されている場合であっても、出荷ケース越しにＲＦＩＤ通信可能である。したがって、使い勝手が非常に良い。
【００７６】
さらに、Ｒ／Ｗユニット２０のＲＯＭ５３には、「切替スイッチ６３の選択肢毎に、どの選択肢が選択された場合には、どのアンテナ用コネクタ１０３にどのアンテナを接続すればよいのか」が自動的に決定されるため、接続後に、「どのアンテナ用コネクタ１０３にどのアンテナが接続されているのか」を設定するものと比較して設定ミス等の減少を期待でき、各アンテナからのびるケーブル３４の接続作業効率がよく、監視情報等の信頼性（どのパチンコ機１のどの監視箇所における情報であるのか等）を極めて高めることができる。
加えて、実施例に係る遊技機監視システムは、従来より遊技店に備えられているステーション５８を利用するとともに、従来よりホールに設置されている島設備７１に、Ｒ／Ｗユニット２０及び通信ユニット４１を、そして各パチンコ機１に監視タグ及び監視アンテナを取り付けるだけで構成可能である。すなわち、実施例に係る遊技機監視システムは、その汎用性が非常に高い。
【００７７】
尚、Ｒ／Ｗユニット２０は、パチンコ機１が設置される島設備７１から通常電源供給を受けているとともに、充電可能なバッテリ６５を内蔵しているため、夜間パチンコ機１や島設備７１の電源が落とされた状態でもパチンコ機１に対する不正行為をリアルタイムで監視することができる。また、各監視アンテナと監視タグとの間の通信可能な距離が５ｍｍと短く設定されているため、わずかな開放をも検知することができる。
【００７８】
（７）本発明の変更例の説明
本発明の遊技機監視システムは、上述した実施例の態様に何ら限定されるものではなく、監視タグ、監視アンテナ、中継タグ、Ｒ／Ｗユニット、ステーション、ＰＤＡ、及び認証手段等の材料、形状、構造、取付位置、設置数等の構成を本発明の趣旨を逸脱しない範囲内で適宜変更することができる。たとえば、本発明の遊技機は、パチンコ機に限定されず、スロットマシーンやテレビゲーム等のパチンコ機以外の遊技機に変更することも可能である。
【００７９】
また、実施例で記載した以外の監視として、機枠に対する遊技枠の開閉状況の監視、払出制御基板等の分割ケースからなる各種収納ケースにおける監視、Ｒ／Ｗユニット自体の監視、供給皿や貯留皿、遊技球払出装置の監視等が考えられる。そして、機枠に対する遊技枠の開閉状況を監視する際には、機枠に監視タグを、遊技枠に監視アンテナを設置すればよい。さらに、各種収納ケースやＲ／Ｗユニットの監視をする際には、実施例に記載の主制御基板収納ケースにおける監視と同様に行えばよい。
【００８０】
さらにまた、遊技機監視システムは、「２台」、「４台」、又は「８台」の監視や認証等を行う際に、各遊技機における監視箇所は、実施例に記載の箇所に何ら限定されることはなく、上述したような変更例も含めて、適宜組み合わせを変更することは当然可能である。しかしながら、複数台の遊技機における監視動作又は認証動作を制御する際、各遊技機毎の監視位置はそれぞれ同じ位置とする。つまり、たとえば一の遊技機において前面枠と主制御基板収納ケースとを監視する際には、その遊技機の監視動作を制御する遊技機監視システムに接続される遊技機においても、全て前面枠と主制御基板収納ケースとを監視するように構成される。
【００８１】
さらに、各遊技機における呼出波の送信に係る呼出順位も、実施例の形態に何ら限定されることはなく、適宜変更可能である。そこで、たとえば大入賞装置における可動部材の開閉状況をより厳密に監視したい場合には、１サイクルにおいて役物アンテナから複数回呼出波を送信するように呼出順位を設定することもできる（具体的には、（１）役物アンテナ、（２）メインアンテナ、（３）役物アンテナ、（４）前面枠アンテナ、（５）役物アンテナ、（６）カードアンテナ・・等）。
またさらに、遊技機監視システムは、実施例においては最大８箇所における監視を可能としているが、より多くの箇所にて監視を行うようにすることも勿論可能である。さらに、切替スイッチにおける選択肢も適宜変更可能である。
【００８２】
加えて、選択手段として切替スイッチの形態に何ら限定されることはない。複数の押しボタンを設置する構成としてもよいし、一の押しボタンを何回押すかで選択するようにしてもよく、その際に何が選択されているのかを表示するための表示パネル等をＲ／Ｗユニットに設けるようにしてもよい。加えて、ＰＤＡ等の外部携帯端末やステーションから入力により何台監視するかを設定するようにしてもよい。
【００８３】
また、ＰＤＡ等の外部携帯端末と中継タグとの間でＲＦＩＤ通信を行う際に、暗証番号等を利用して、監視情報を管理する権限を確認するようにしてもよい。さらに、毎朝ステーションから店員情報を送信するのではなく、該ＰＤＡを利用して店員情報をＲ／Ｗユニットに送信して記憶させるようにしても何ら問題はない。加えて、店員カードの形状や、カードアンテナの設置位置等も実施例の形態に何ら限定されることはなく、遊技機の前面にカードアンテナを内蔵したカードホルダを別途設けたり、スリット状の差込口を遊技機の前面に開口したカードホルダ（遊技機に内蔵型）としてもよい。
【００８４】
さらに、Ｒ／Ｗユニットにおいて送信されてきた店員情報をＲＡＭに記憶するのではなく、ＥＥＰＲＯＭに記憶するようにしてもよいし、別の記憶手段を設けても何ら問題はない。逆に、監視情報に関する記憶を全てＲＡＭにて行うようにすることもできる。同様に、各種プログラム等もＲＯＭに記憶するのではなく、ＥＥＰＲＯＭやＲＡＭに記憶するようにしても何ら問題はない。
【００８５】
加えて、Ｒ／Ｗユニットは、異常を検知した旨を不揮発性の記憶手段であるＥＥＰＲＯＭに記憶するものに限定されず、通常のＲＡＭ、ハードディスク、光メディア等の記憶手段に記憶するもの等でもよい。また、Ｒ／Ｗユニットは、遊技機が設置される島設備から電源供給を受けるものに限定されず、遊技機から電源供給を受けるものでもよい。尚、一のＲ／Ｗユニットにて一の遊技機を監視することは当然可能であり、その際、各遊技機にＲ／Ｗユニットを設置してもよい。
【００８６】
さらに、遊技機監視システムは、営業時間中には異常事態の報知のみを行い（異常情報の記憶等を行わない）、遊技機が稼働していない夜間等に監視情報をＥＥＰＲＯＭ等の記憶手段に記憶のみ行うものに変更することも可能である。さらにまた、本実施例では店員カードを認証後も、各監視アンテナと監視タグとの間でＲＦＩＤ通信を行うものとしているが、該ＲＦＩＤ通信を停止させるように制御しても何ら問題はない。
なお、Ｒ／Ｗユニットとステーション等の外部のネットワークとの接続方法は、無線による接続でなく有線であってもよい。異常事態の報知を、報知手段でなく遊技機のスピーカや電飾ランプ等にて行うようにしてもよいし、図柄表示装置等に不正行為が行われている可能性がある旨や店員カードを置き忘れている旨を表示するようにしてもよい。勿論、ステーションにて報知するようにしても何ら問題はない。また、Ｒ／ＷユニットのＣＰＵにて報知ランプにおける報知態様の制御を行うようにすることも当然可能である。
【００８７】
加えて、監視用のＲＦＩＤ通信及び認証用のＲＦＩＤ通信において、各タグと各アンテナとの間の通信可能な距離を５ｍｍとしたが、３ｍｍとしてもよいし、それ以上またはそれ以下に設定しても何ら問題はない。また、そのＲＦＩＤ通信において利用される周波数も、実施例のものに限定されることはない。尚、実施例では、監視用のＲＦＩＤ通信において、監視アンテナからの呼出波に対して５０ｍｓ後に監視タグからの反射波を受信しなければ不正開放の検知を行うものとしたが、呼出波に対して５０ｍｓ後の受信に何ら限定されることはなく、それ以上であってもそれ以下であっても何ら問題はない。
【００８８】
また、異常情報として、ＲＦＩＤ通信が異常状態から正常に復帰した日時や、異常状態であった時間等を記憶するようにしてもよい。そうすることで、たとえ不正行為が行われた後に正常状態に復帰した場合等に、より詳しい異常情報を得ることができる。さらに、ステーション等で異常情報を参照した際に、所定時間内に反射波を受信できなかったのか或いは受信した識別情報が異なっていたのかを区別することができるような異常情報とすることも可能である。
さらに、実施の形態では、作業認証状態を権限認証後５ｓ間としているが、それらに限定されることはなく、１０ｓ経過後としてもよいし、３ｓ経過後としてもよく、適宜変更設定可能である。
【００８９】
さらにまた、上述した実施の形態では、切替スイッチにおける選択肢毎に、各アンテナからの呼出波の呼出順位を決定するとともに各アンテナ用コネクタとアンテナとの対応づけを行うように構成しているが、呼出順位のみを決定するようなものとしても何ら問題はない。そのような場合には、どのアンテナ用コネクタにどのアンテナを接続したのかを、ケーブルを接続した後で、ステーションやＰＤＡ等から設定すればよい。
またさらに、切替スイッチの選択肢に対応して、どのアンテナ用コネクタにどのアンテナを接続すればよいかを示す対応表（図２４に、その一例を図示）をＲ／Ｗユニットの第二ケースに貼着してもよい。このような対応表を貼着することで、アンテナ用コネクタにアンテナを接続する際の作業効率が極めて向上する。
【図面の簡単な説明】
【００９０】
【図１】パチンコ機を設置した島設備の説明図である。
【図２】通信ユニット及び店員カードの外観を示した説明図である。
【図３】カードタグ又は監視タグの外観を示した説明図である。
【図４】カードタグ又は監視タグの制御機構を示したブロック図である。
【図５】カードアンテナ又は監視アンテナの外観を示した説明図である。
【図６】中継タグの外観を示した説明斜視図である。
【図７】中継タグの制御機構を示したブロック図である。
【図８】ＰＤＡの外観を示した説明斜視図である。
【図９】ＰＤＡの制御機構を示したブロック図である。
【図１０】パチンコ機の前面を示した説明図である。
【図１１】遊技枠及び前面枠を片開きにした状態を示した説明斜視図である。
【図１２】パチンコ機の後面を示した説明図である。
【図１３】大入賞装置の外観を示した説明斜視図である。
【図１４】主制御基板収納ケースを分解した状態を示した説明図である。
【図１５】Ｒ／Ｗユニットの外観を示した説明斜視図である。
【図１６】Ｒ／Ｗユニットの制御機構を示したブロック図である。
【図１７】大入賞装置における監視動作を示したフローチャート図である。
【図１８】大入賞装置以外の箇所における監視動作を示したフローチャート図である。
【図１９】店員カードの認証動作を示したフローチャート図である。
【図２０】店員カードの認証動作を示したフローチャート図である。
【図２１】中継タグの動作を示したフローチャート図である。
【図２２】パチンコ機の出荷時の状態を示した説明図である。
【図２３】Ｒ／Ｗユニットの制御機構を示したブロック図である。
【図２４】対応表の一例を示した説明図である。
【符号の説明】
【００９１】
１・・パチンコ機、２・・機枠、３・・遊技枠、４・・前面枠、５・・ミドル枠、１９・・主制御基板収納ケース、２０・・Ｒ／Ｗユニット、３８・・前面枠タグ、３９・・前面枠アンテナ、５１・・ＣＰＵ、５４・・ＥＥＰＲＯＭ、６６・・中継タグ、７１・・島設備、９０・・ＰＤＡ。
【図１】
2005348885.tif 000003
【図２】
2005348885.tif 000004
【図３】
2005348885.tif 000005
【図４】
2005348885.tif 000006
【図５】
2005348885.tif 000007
【図６】
2005348885.tif 000008
【図７】
2005348885.tif 000009
【図８】
2005348885.tif 000010
【図９】
2005348885.tif 000011
【図１０】
2005348885.tif 000012
【図１１】
2005348885.tif 000013
【図１２】
2005348885.tif 000014
【図１３】
2005348885.tif 000015
【図１４】
2005348885.tif 000016
【図１５】
2005348885.tif 000017
【図１６】
2005348885.tif 000018
【図１７】
2005348885.tif 000019
【図１８】
2005348885.tif 000020
【図１９】
2005348885.tif 000021
【図２０】
2005348885.tif 000022
【図２１】
2005348885.tif 000023
【図２２】
2005348885.tif 000024
【図２３】
2005348885.tif 000025
【図２４】
2005348885.tif 000026